(57)【特許請求の範囲】
【請求項１】
互いに通信方式の異なる複数種類の移動体電話機とコンピュータとの間においてデータ通信を中継するデータ通信アダプタであって、
前記移動体電話機に接続自在なコネクタケーブルと、
前記コネクタケーブルの一端に設けられたコネクタ半体の一方と、前記コネクタ半体の一方に着脱自在なコネクタ半体の他方と、含むカップリング手段と、
前記移動体電話機との前記カップリング手段を介した接続に応じて、前記移動体電話機の属する種類の通信方式を判定する判定手段と、
前記判定された通信方式に対応する通信プロトコルに従ったデータ通信に切り替える切替手段と、を含み、
前記コネクタ半体の一方は所定の電位が付与された識別端子を含み、前記判定手段は、前記コネクタ半体の他方における前記識別端子に対応する端子に現れる電位を取り込んで、これを判定の基礎とする判定回路を含み、前記コネクタ半体の一方は、前記電位を外部から設定又は変更する手段を更に含むことを特徴とするデータ通信アダプタ。
【発明の詳細な説明】
【０００１】
【発明の属する分野】
本発明は、移動体電話機とコンピュータとの間に接続されてデータ通信を中継するデータ通信アダプタに関する。
【０００２】
【従来の技術】
近年の我が国における移動体電話機の普及はめざましく、統一された通信方式が採用される間もなく、各電話会社において独自の通信方式が採用されるに至っている。デジタル携帯電話においてはＰＤＣ（Personal Digital Cellular）方式、ｃｄｍａＯｎｅ方式等の通信方式があり、ＰＨＳ（Personal Handyphone System）においてはギャランティ方式、ベストエフォート方式等の通信方式がある。ここで、ＰＤＣ方式とは、日本で標準化されたＴＤＭＡ（Time Division Multiple Access）方式である。一方、ｃｄｍａＯｎｅ方式とは、国際規格に準拠した無線通信システムであり、前記ＰＤＣ方式に比べてデータ伝送速度が速いという特徴を有する。ＰＨＳにおけるギャランティ方式はＰＩＡＦＳ（PHS Internet Access Forum Standard）Ｖ2.0に準拠し固定の通信速度を用いる通信方式であり、ＰＨＳにおけるベストエフォート方式はＰＩＡＦＳ2.1に準拠し可変通信速度を用いる通信方式である。
【０００３】
図１における表は、通信方式の例として、ＰＤＣ方式、ＰＨＳにおけるギャランティ方式及びベストエフォート方式の３つについて、その通信プロトコルと、ハードウェア仕様と、専用コネクタの概要を示している。ここで、専用コネクタは、ハードウェア仕様の違いに応じて芯線の数が様々であり、形状も異なり、信号線にも共通のものとそうでないものとが存在し、それぞれの通信方式に固有である。
【０００４】
従って、使用者がこれら移動体電話機を無線端末として、モバイルコンピュータ等のコンピュータにより、例えばインターネットの如き外部とデータ通信を行うには、個別のデータ通信アダプタを購入準備して接続する必要があり不便を強いられていた。一方、これらのデータ通信アダプタを製造する各メーカは、各電話会社の移動体電話機毎に対応する異なるデータ通信アダプタを顧客に提供せねばならなかった。
【０００５】
【発明が解決しようとする課題】
本発明は、上記の問題を解決するためになされたもので、通信方式が異なる移動体電話機において汎用的に使用可能なデータ通信アダプタを提供することを目的とする。
【０００６】
【課題を解決するための手段】
本発明によるデータ通信アダプタは、互いに通信方式の異なる複数種類の移動体電話機とコンピュータとの間においてデータ通信を中継するデータ通信アダプタであって、前記移動体電話機に接続自在なコネクタケーブルと、前記コネクタケーブルの一端に設けられたコネクタ半体の一方と、前記コネクタ半体の一方に着脱自在なコネクタ半体の他方と、含むカップリング手段と、前記移動体電話機との前記カップリング手段を介した接続に応じて、前記移動体電話機の属する種類の通信方式を判定する判定手段と、前記判定された通信方式に対応する通信プロトコルに従ったデータ通信に切り替える切替手段と、を含み、前記コネクタ半体の一方は所定の電位が付与された識別端子を含み、前記判定手段は、前記コネクタ半体の他方における前記識別端子に対応する端子に現れる電位を取り込んで、これを判定の基礎とする判定回路を含み、前記コネクタ半体の一方は、前記電位を外部から設定又は変更する手段を更に含むことを特徴とする。
【０００７】
【発明の実施の形態】
以下、本発明の実施の形態を図面を参照して詳細に説明する。
図２は、本発明の実施例であり、本発明によるデータ通信アダプタを含む全体構成を示している。移動体電話機１１の接続端とデータ通信アダプタカード１５の１端との間がコネクタケーブル１２により着脱自在に接続される。データ通信アダプタカード１５の他端は、更に、コンピュータ１６のカードスロット１７に着脱自在に接続される。移動体電話機１１は、多様な通信方式による多種類の無線電話端末が想定され、例えば、携帯電話或いはＰＨＳ電話端末である。コネクタケーブル１２は、両端に接続用のコネクタを有し、複数の導線からなるケーブルである。データ通信アダプタカード１５は、移動体電話機１１の通信方式に対応してデータ通信を中継する中継装置であり、そのハードウェア仕様及びソフトウェア仕様は、ＰＣＭＣＩＡ（Personal Computer Memory Card International Association）の規格に準拠するカードである。
【０００８】
図３は、図２におけるコネクタケーブルの詳細な構造を示している。
ここで、コネクタケーブル１２は、その両端にコネクタＡ１３と、コネクタＢ１４とを含む。コネクタＡ１３は、移動体電話機１１の接続端の規格に合致するコネクタである。コネクタＢ１４は、データ通信アダプタカード１５の接続端子２５ｂ（図５）に着脱自在に結合される接続端子２５ａを有する。接続端子２５ａ及び接続端子２５ｂは、一対のコネクタ半体であり、移動体電話機１１とデータ通信アダプタ１５との間のカップリング手段を提供する。ここで、コネクタＢ１４の接続端子２５ａの中の２つの端子は、移動体電話機１１で用いられる通信方式の識別情報を出力する。該識別情報は、例えば、図２の破線部分に示されるように識別端子１及び識別端子２の電位がＳＷ１及びＳＷ２により固定的に各々開放又は接地電位であるか否かによる２ビットの識別子とすることができる。これにより、個々の通信方式に２ビットの識別子を付与し、個々の移動体電話機１毎に複数のコネクタケーブル１２を用意することにより、当該コネクタケーブル１２が結合されることで、データ通信アダプタカード１５は対応する適正な通信方式を識別することが可能となる。尚、本実施例においては２ビットの識別子としているが、多数の通信方式の存在に応じて多ビットの識別子としても良い。
【０００９】
図４は、図２に示されるコネクタケーブルの変形例を示している。ここで、コネクタケーブル１２のデータ通信アダプタカード１５側は、コネクタＢａ３１と、コネクタＢｂ３３との２つにより構成される。コネクタＢｂ３３は、スイッチ３６が２つ設置されて、前述の２ビットの識別情報を外部から設定可能とする。これにより、コネクタＢｂ３３を除くコネクタケーブル１２本体を移動電話機１１毎に準備すれば、１つのコネクタＢｂ３３を変換コネクタとして複数の移動体電話機１１に対応することが可能となる。
【００１０】
図５は、通信データアダプタカード内部の回路構成を示している。
データ通信アダプタカード１５は、大きくは、方式判定回路４２と通信方式切替回路４３と、カードバスインタフェース５８と、ＣＰＵ５９と、メモリ６０と、から構成され、これらは内部バス６１に共通的に接続される。ＣＰＵ５９は、通信データアダプタカード１５全体の処理を制御するプロセッサであり、メモリ６０と協働して処理を行う。カードバスインタフェース５８は、ＰＣＭＣＩＡ規格に準拠したインタフェースに基づいてＰＣＭＣＩＡ端子４５を介して電気的に結合されるコンピュータ１６（図２参照）とデータ及び制御信号の通信を行う。方式判定回路４２と通信方式切替回路４３とは専用ＬＳＩにより実現され、小電力化及び小型化が可能である。ＣＰＵ５９、メモリ６０及びカードバスインタフェース５８は汎用のＬＳＩが用いられ得る。
【００１１】
方式判定回路４２には、コネクタケーブル１２（図２参照）の接続端子２５ａが電気的に結合される接続端子２５ｂを介して、通信方式の識別情報を電気信号として取り込む。この識別情報に基づく通信方式の判定結果は通信方式切替回路４３に出力される。接続端子２５ｂの他の端子は、通信方式切替回路４３のＭＰＸ５３に接続される。
【００１２】
通信方式切替回路４３は、プロトコル選択回路５１と、ステータスレジスタ５２と、個別回路Ａ５４と、個別回路Ｂ５５と、個別回路Ｃ５６と、共通回路部５７とを含み、これらは内部バス６１に共通的に接続される。プロトコル選択回路５１は、通信方式の判定結果を取り込み、図１の表に示されるような具体的な通信プロトコル、例えばWORM-ARQ或いはPIAFS等の通信プロトコルを選択して、その結果をステータスレジスタ５２に設定する。通信方式切替回路４３は、更に、マルチプレクサ、即ちＭＰＸ５３を含む。ＭＰＸ５３は、プロトコル選択回路５１からの制御信号に従って、個別回路Ａ５４、個別回路Ｂ５５、個別回路Ｃ５６及び共通回路部５７とを適宜切り替えて、通信データを多重又は分離して接続端子２５ｂに対して送受信する。
【００１３】
個別回路Ａ５４、個別回路Ｂ５５、及び個別回路Ｃ５６の各々は、複数の通信プロトコル各々に対応する通信手順を処理するプロトコルエンジンを含み、通信手順における共通的な部分は共通回路部５７が担う。通信データのデジタル信号はカードバスインターフェース５８によりＰＣＭＣＩＡ端子４５に入出力される。どの通信プロトコルにより通信が行われるにしても、当該通信は内部バス６１に接続されたＣＰＵ５９の制御のもとでメモリ６０において実行され、カードバスインタフェース５８及びＰＣＭＣＩＡ端子４５を介してコンピュータ１６との間でなされる。ＣＰＵ５９は選択されたプロトコルをステータスレジスタ５２に書き込まれた情報から判断し、その通信プロトコルに従って通信データを送受信するよう制御する。
【００１４】
尚、本実施例では、携帯電話におけるＰＤＣ方式、ＰＨＳにおけるギャランティ方式及びベストエフォート方式という３つの通信方式が選択可能としているが、これは例示であって、本発明によるデータ通信アダプタは、多数の種類の通信方式及び通信プロトコルを収容し得る。又、本実施例では、データ通信アダプタをＰＣカードとしているが、ＵＳＢ（Universal Serial Bus）方式によるアダプタとした構成でも良い。更に、本実施例では、コネクタケーブルの如きカップリング手段に通信方式の識別情報が保持されているが、コネクタケーブルを共通にして該識別情報を移動体電話機自身に保持し、これをデータ通信アダプタが取り込んで判定することとしても良い。
【００１５】
【発明の効果】
本発明によるデータ通信アダプタにより、通信方式の異なる複数種類の移動体電話機においても汎用的にデータ通信が可能となる。
【図面の簡単な説明】
【図１】３つの通信方式における通信プロトコル及びハードウェア仕様の表を示している図である。
【図２】本発明の実施例であり、データ通信アダプタを含む全体構成を示しているブロック図である。
【図３】図２におけるコネクタケーブルの詳細な構造を示している正面及び側面の図である。
【図４】図２におけるコネクタケーブルの詳細な構造の他の例を示している正面及び側面の図である。
【図５】図２におけるデータ通信アダプタカード内部の回路構成を示しているブロック図である。
【符号の説明】
１１  移動対電話機
１２  コネクタケーブル
１３  コネクタＡ
１４  コネクタＢ
１５  データ通信アダプタカード
２５ａ、２５ｂ  接続端子
３１  コネクタＢａ
３３  コネクタＢｂ
３６  スイッチ
４２  方式判定回路
４３  通信方式切替回路
４５  ＰＣＭＣＩＡ端子
５１  プロトコル選択回路
５２  ステータスレジスタ
５３  マルチプレクサ（ＭＰＸ）
５４  個別回路Ａ
５５  個別回路Ｂ
５６  個別回路Ｃ
５７  共通回路部
５８  カードバスインターフェース
５９  ＣＰＵ
６０  メモリ
６１  内部バス
【図１】
0004478360.tif 000002
【図２】
0004478360.tif 000003
【図３】
0004478360.tif 000004
【図４】
0004478360.tif 000005
【図５】
0004478360.tif 000006